【手続補正書】
【提出日】平成17年3月14日(2005.3.14)
【手続補正１】
【補正対象書類名】明細書
【補正対象項目名】全文
【補正方法】変更
【補正の内容】
【書類名】    明細書
【発明の名称】画像形成装置
【特許請求の範囲】
【請求項１】  各種スイッチを有する操作設定手段と、所定の負荷に電力を供給する
電源装置と、前記電源装置を制御する制御手段とを備えた画像形成装置であって、
前記電源装置は、発振を行いスイッチングして出力を安定化させるスイッチング電源を
有し、
前記制御手段は、少なくとも前記操作設定手段のスイッチが所定時間操作されない場合
に、前記スイッチング電源の発振動作を停止させるための発振停止指令信号を前記電源装
置に送って節電モードに移行し、所定の節電対象負荷への電力供給を休止させると共に、
節電モードが解除されると解除指令信号を前記電源装置に送って前記スイッチング電源の
発振動作を開始させ、電力を供給することを特徴とする画像形成装置。
【請求項２】  各種スイッチを有する操作設定手段と、少なくとも電動機を含む所定
の負荷に電力を供給する電源装置と、前記電源装置を制御する制御手段と、当該画像形成
装置本体を保持する扉付きの筐体と、前記扉の開閉状態を検知する扉開閉検知手段とを備
え、前記扉が開放された場合に前記負荷のうちの所定の電動機を含むインターロック系負
荷への電力供給を遮断し、かつ、電力供給を休止する画像形成装置であって、
前記制御手段は、前記扉が開放された場合に前記インターロック系負荷への電力供給を
休止させる休止指令信号を前記電源装置に送って扉開放モードに移行すると共に、前記扉
が閉鎖状態に戻されると解除指令信号を前記電源装置に送って電力供給を再開させ、
少なくとも前記操作設定手段のスイッチが所定時間操作されない場合に前記インターロ
ック系負荷への電力供給を休止させる休止指令信号を前記電源装置に送って節電モードに
移行すると共に、節電モードが解除されると解除指令信号を前記電源装置に送って電力供
給を開始させることを特徴とする画像形成装置。
【請求項３】  前記電源装置は、発振を行いスイッチングして出力を安定化させるス
イッチング電源を有し、
前記制御手段は、扉開放モードまたは節電モードに移行する際には、前記スイッチング
電源の発振動作を停止させるための発振停止指令信号を前記電源装置に送ると共に、扉開
放モードまたは節電モードが解除されると解除指令信号を前記電源装置に送って前記スイ
ッチング電源の発振動作を開始させることを特徴とする請求項２記載の画像形成装置。
【請求項４】  前記制御手段は前記電源装置の出力状態を検知するための検知部を有
すると共に、前記操作設定手段は少なくとも当該画像形成装置本体の状態を表示する表示
部を有し、
前記制御手段は、節電モードが解除された後、前記検知部において前記電源装置の出力
が所定の値まで立ち上がったことが検知されてから、前記表示部に節電モードが解除され
動作可能状態となった旨の表示をさせることを特徴とする請求項２または３記載の画像形
成装置。
【請求項５】  前記制御手段は、節電モード時には、前記表示部に節電モードである
旨の表示だけを行わせることを特徴とする請求項２から４のうちのいずれか１項に記載の
画像形成装置。
【請求項６】  前記制御手段は、節電モード時に前記扉が開放された際には、節電モ
ード解除後に、前記表示部に扉開状態表示を含む異常状態表示を行わせることを特徴とす
る請求項５記載の画像形成装置。
【発明の詳細な説明】
【０００１】
【発明の属する技術分野】本発明は、例えば省エネモード時及び扉開放時の扉開放モード時に各種モータへの電力供給を休止する画像形成装置に関する。
【０００２】
【従来の技術】複写機等においては、コントロールパネルのスイッチが所定時間操作されないような場合には、通常、電源から一部の負荷への電力供給を休止する省エネモード（節電モード）に移行するようにされている。このために、上記負荷と電源との間に例えばリレーを配置し、タイマの動作と同時にリレーの接点が開くようにしている。
【０００３】ここで、コントロールパネルにおいては、省エネモードに移行した際に、その旨の表示がなされ、省エネモード解除時にも、動作許可表示がなされる。
【０００４】一方、扉を開いて紙詰まり処理等を行う際に、手がローラや歯車等の可動箇所に触れている時に動作して負傷してしまう危険を回避するために、扉の開閉に連動するリミットスイッチ（扉開閉検知用）の動作と同時にインターロックスイッチにより所定のモータへの電力供給を休止するインターロック機構が備えられている。
【０００５】
【発明が解決しようとする課題】しかしながら、例えば省エネモードが解除されて上記リレーの接点が閉じると同時に、電源から負荷側のコンデンサ等に過大な突入電流が流れ、このために例えば電源が出力ダウンしてしまう恐れがあるという問題がある。
【０００６】扉の開閉に連動するインターロックスイッチについても同様に、扉を閉めた場合に、スイッチオンにより電源からインターロック系の負荷側のコンデンサ等に過大な突入電流が流れ、電源が出力ダウンしてしまう恐れがある。
【０００７】また、上記動作許可表示は、リレーの接点が閉じた場合に、抵抗等を用いた回路構成によって、電源が徐々に立ち上がるような対策を行ったとき、実際には電源の出力が完全に立ち上がっていないにもかかわらず、動作可能状態表示となり、操作スイッチを操作してもモータ等が動作できないことがあり、結果的に誤表示となってしまうという問題がある。
【０００８】そこで、本発明は、回路を閉じた直後の過大な突入電流の発生を防止し、確実に動作する画像形成装置を提供することを目的とする。
【０００９】また、本発明は、省エネモード解除時の動作許可表示の誤表示を防止し、確実に動作する画像形成装置を提供することを目的とする。
【００１０】
【課題を解決するための手段】上記課題を解決するために、請求項１記載の発明は、各種スイッチを有する操作設定手段と、所定の負荷に電力を供給する電源装置と、前記電源装置を制御する制御手段とを備えた画像形成装置であって、前記電源装置は、発振を行いスイッチングして出力を安定化させるスイッチング電源を有し、前記制御手段は、少なくとも前記操作設定手段のスイッチが所定時間操作されない場合に、前記スイッチング電源の発振動作を停止させるための発振停止指令信号を前記電源装置に送って節電モードに移行し、所定の節電対象負荷への電力供給を休止させると共に、節電モードが解除されると解除指令信号を前記電源装置に送って前記スイッチング電源の発振動作を開始させ、電力を供給することを特徴とする。
【００１１】上記課題を解決するために、請求項２記載の発明は、各種スイッチを有する操作設定手段と、少なくとも電動機を含む所定の負荷に電力を供給する電源装置と、前記電源装置を制御する制御手段と、当該画像形成装置本体を保持する扉付きの筐体と、前記扉の開閉状態を検知する扉開閉検知手段とを備え、前記扉が開放された場合に前記負荷のうちの所定の電動機を含むインターロック系負荷への電力供給を遮断し、かつ、電力供給を休止する画像形成装置であって、前記制御手段は、前記扉が開放された場合に前記インターロック系負荷への電力供給を休止させる休止指令信号を前記電源装置に送って扉開放モードに移行すると共に、前記扉が閉鎖状態に戻されると解除指令信号を前記電源装置に送って電力供給を再開させ、少なくとも前記操作設定手段のスイッチが所定時間操作されない場合に前記インターロック系負荷への電力供給を休止させる休止指令信号を前記電源装置に送って節電モードに移行すると共に、節電モードが解除されると解除指令信号を前記電源装置に送って電力供給を開始させることを特徴とする。
【００１２】上記課題を解決するために、請求項３記載の発明は、請求項２記載の画像形成装置であって、前記電源装置は、発振を行いスイッチングして出力を安定化させるスイッチング電源を有し、前記制御手段は、扉開放モードまたは節電モードに移行する際には、前記スイッチング電源の発振動作を停止させるための発振停止指令信号を前記電源装置に送ると共に、扉開放モードまたは節電モードが解除されると解除指令信号を前記電源装置に送って前記スイッチング電源の発振動作を開始させることを特徴とする。
【００１３】上記課題を解決するために、請求項４記載の発明は、請求項２または３記載の画像形成装置であって、前記制御手段は前記電源装置の出力状態を検知するための検知部を有すると共に、前記操作設定手段は少なくとも当該画像形成装置本体の状態を表示する表示部を有し、前記制御手段は、節電モードが解除された後、前記検知部において前記電源装置の出力が所定の値まで立ち上がったことが検知されてから、前記表示部に節電モードが解除され動作可能状態となった旨の表示をさせることを特徴とする。
【００１４】上記課題を解決するために、請求項５記載の発明は、請求項２から４のうちのいずれか１項に記載の画像形成装置であって、前記制御手段は、節電モード時には、前記表示部に節電モードである旨の表示だけを行わせることを特徴とする。
【００１５】上記課題を解決するために、請求項６記載の発明は、請求項５記載の画像形成装置であって、前記制御手段は、節電モード時に前記扉が開放された際には、節電モード解除後に、前記表示部に扉開状態表示を含む異常状態表示を行わせることを特徴とする。
【００１６】
【発明の実施の形態】以下、本発明の実施の形態を図面を参照して詳細に説明する。
【００１７】実施の形態１．図１は本発明の実施の形態１による画像形成装置としての複写機の構成を示す断面図、図２は同複写機の構成を示すブロック図、図３は制御手段としての制御装置及び電源装置としての電源部を含む同複写機の要部の構成を示すブロック図、図４は同制御装置及び同電源部の動作を説明するための波形図、図５は同複写機の省エネモードでの動作を説明するためのフローチャート、図６は同複写機の扉開放時の扉開放モードでの動作を説明するためのフローチャートである。
【００１８】図１乃至図３に示すように、この実施の形態１による複写機は、構成各部を所定の制御プログラムに従って制御する制御装置１と、この制御装置１の制御に従って当該複写機を構成する各種モータ等に電力を供給する電源部２と、所定の光学系からなり複写対象の原稿を読み取るための読取部３と、読取部３で読み取って得られた画像信号に所定の処理を施す画像処理部４と、記録媒体としての紙上に画像を形成する画像形成部５と、紙を画像形成部５の動作に連動させて搬送する搬送部６と、複写モードの設定等を行うためのスイッチ群７１や設定した内容等や当該複写機の状態を表示する表示部７２を有するコントロールパネル部（操作設定手段）
７とを備えている。
【００１９】また、複写機には、複写機本体を冷却する冷却ファン８１と、冷却ファン８１を駆動するファン駆動部８２と、扉の開閉に応じて接点を開閉して制御装置１へ扉開閉情報を送るリミットスイッチ（扉開閉検知手段）ＬＳとが設けられている。
【００２０】制御装置１は、ＣＰＵを有する主制御部１１と、所定の制御プログラムを格納した記憶部１２と、コントロールパネル部７においてスイッチ操作がなされた時刻からの時間を計時し次のスイッチ操作でリセットされる省エネ用のタイマー１３と、後述するスイッチング電源２２の出力電圧を検知する電圧検知部１４とを有している。
【００２１】主制御部１１は、例えばコントロールパネル部７において比較的長時間スイッチ操作がなされないときは電力を節約するための省エネモードで各部を制御し、例えば扉が開放されたときは、所定の可動部分の駆動を禁止して鎖錠する扉開放モードで各部を制御する。
【００２２】この実施の形態１では、主制御部１１は、省エネモードに移行するときも、扉開放モードに移行するときも、電源部２に、スイッチング電源２２の発振を停止するために電源出力制御信号をオフ状態として発振停止指令を送り、後述するインターロック系負荷群９へのスイッチング電源２２からの電力供給を休止させる。
【００２３】また、省エネモード、扉開放モードを解除するときは、電源部２に、スイッチング電源２２の発振を開始するために電源出力制御信号をオン状態へ戻して解除指令を送って、インターロック系負荷群へのスイッチング電源２２からの電力供給を再開させる。
【００２４】また、主制御部１１は、省エネモード、扉開放モードを解除するときは、電圧検知部１４から得られる電圧検知信号に基づいて、スイッチング電源２２の出力電圧が所定の値に達したと判定した後、表示部７２に動作可能である旨の動作許可表示を行わせる。
【００２５】電源部２は、交流電源Ｇから交流電圧が入力され５Ｖの直流電圧を出力する制御装置用電源２１と、交流電源Ｇから交流電圧が入力され２４Ｖの直流電圧を出力するスイッチング電源２２と、スイッチング電源２２に接続された高圧電源２３とを有している。また、スイッチング電源２２と負荷との間にはインターロック用スイッチ２４が設けられている。
【００２６】スイッチング電源２２は、例えば発振の周期でスイッチング素子をオン／オフしてデューティサイクルを調整して出力を安定化させるスイッチング方式直流安定化電源であり、インターロック用スイッチ２４を介して、インターロック系負荷群に電力を供給している。
【００２７】読取部３は、原稿台上の原稿を露光走査するための照明ランプとミラーとからなり水平移動する第１ミラーユニット及び一対のミラーからなり第１ミラーユニットに追従移動する第２ミラーユニットと、露光走査によって得られた画像が投影レンズを介して結像される撮像素子とを有している。
【００２８】画像処理部４においては、画像処理を施された画像信号はメモリに一旦格納される。
【００２９】画像形成部５は、レーザ光学系５２と、レーザ光による走査で静電気のパターン（静電潜像）が表面に形成される感光ドラム５３と、感光ドラム５３を予め帯電させる帯電器５４と、静電潜像に負に帯電したトナーを付着させて可視像にする現像器５５と、感光ドラム５３上に形成されたトナーによる可視像を紙に転写する転写器５６と、除電作用によって紙を感光ドラム５３の周面より分離する分離器５７と、加熱された定着加熱ローラと加圧ローラとで紙を挟んで加熱加圧して紙に載ったトナーを熱で溶かして紙に定着させる定着器５８と、感光ドラム５３上の残留トナーを除去するためのクリーニング装置５９と、トナーを収容したトナーボトル
（不図示）とを有している。
【００３０】また、画像形成部５は、ポリゴンミラーを回転させるミラー駆動部５ａと、感光ドラム５３を駆動するドラムモータを含むドラム駆動部５ｂと、現像器５５を駆動する現像モータを含む現像器駆動部５ｃと、定着器５８の定着加熱ローラを加熱するヒータの温度を制御するためのヒータ温度制御部５ｄとを有している。
【００３１】また、レーザ光学系５２においては、画像処理部４のメモリから読み出された画像信号に基づいて、半導体レーザ装置で生成されたレーザビームが、ポリゴンミラーによって回転走査され、ｆθレンズやシリンドリカルレンズを経て感光ドラム５３の感光面を走査露光する。
【００３２】搬送部６は、紙を給紙カセットから搬出して転写器５６へ供給する給紙部６１と、「片面→片面」や「片面→両面」等の複写モードに対応した紙の搬送を行う自動両面搬送機構６２と、定着器５８から排出された紙を排紙する排紙部６３とを有している。
【００３３】また、搬送部６は、給紙カセットの搬出ローラの回転駆動を行う複数の給紙モータを含む給紙駆動部６ａと、紙を給紙カセットから転写器５６へ搬送する各ローラを回転駆動するメインモータを含むメイン駆動部６ｂと、定着器５８から排出された紙を排紙するローラを回転駆動する排紙モータや反転排紙モータを含む排紙駆動部６ｃと、自動両面搬送機構６２において紙を反転する際に用いられるＡＤＵ反転モータを含むＡＤＵ駆動部６ｄとを有している。
【００３４】扉開放時に手を触れる可能性の高いローラ等の可動部分を駆動する上記ドラム駆動部５ｂ、現像器駆動部５ｃ、メイン駆動部６ｂ、給紙駆動部６ａ、排紙駆動部６ｃ及びＡＤＵ駆動部６ｄと、高圧電源２３とは、扉開放時の扉開放モードでは、スイッチング電源２２からの電力供給が休止されるインターロック系負荷群９を構成している。
【００３５】また、このインターロック系負荷群９は、上述したように、省エネモードにおいても電力供給が休止される対象とされている。
【００３６】次に、この複写機の動作について説明する。
【００３７】例えば複写機の不使用状態が継続してコントロールパネル部７においてスイッチ操作がなされた時刻から所定の時間が経過すると、省エネ用のタイマー１３が、主制御部１１へ計時終了信号を送る。主制御部１１は、この計時終了信号を受けると（ステップＳＴ１１
（図５））、これを受けて省エネモードでの制御を開始する（ステップＳＴ１２）。
【００３８】主制御部１１は、電源部２に、スイッチング電源２２の発振を停止させるために、図４に示すように、電源出力制御信号ｐ1 をオフ状態として発振停止指令を送り（ステップＳＴ１３）、上述したインターロック系負荷群９へのスイッチング電源２２からの電力供給を休止させる。主制御部１１は同時に省エネモードへ移行した旨の表示を表示部７２に行わせる（ステップＳＴ１４）。
【００３９】なお、この間も例えば定着ヒータや冷却ファン８１には電力供給が継続される。
【００４０】複写機の使用開始にあたってコントロールパネル部７において操作が行われると（ステップＳＴ１５）、主制御部１１は、省エネモードを解除して（ステップＳＴ１６）、電源部２に、スイッチング電源２２の発振を開始するために、電源出力制御信号ｐ1 をオン状態へ戻して解除指令を送る（ステップＳＴ１７）。
【００４１】主制御部１１は、電圧検知部１４から得られる電圧出力ｐ2 に対応する電圧検知信号を監視し、この電圧検知信号に基づいて、スイッチング電源２２の発振開始に伴って出力が徐々に上昇し、所定の電圧出力ｐ2 まで回復したと判断すると（ステップＳＴ１８）、表示部７２に動作可能である旨の動作許可表示を行わせる
（ステップＳＴ１９）。
【００４２】また、紙詰り処理等のために複写機の扉を開放すると、リミットスイッチＬＳが動作して、インターロック用スイッチ２４がオフ状態となり電力供給が遮断されると共に、主制御部１１が扉開信号を受け取って
（ステップＳＴ２１（図６））扉開放モードでの制御を開始し（ステップＳＴ２２）、電源出力制御信号ｐ1をオフ状態として電源部２に発振停止指令を送り（ステップＳＴ２３）、インターロック系負荷群９へのスイッチング電源２２からの電力供給を休止させる。
【００４３】主制御部１１は同時に扉開放モードへ移行した旨の表示を表示部７２に行わせる（ステップＳＴ２４）。
【００４４】これにより、手を触れる可能性の高いローラや歯車等の可動部分は停止した状態で鎖錠される。
【００４５】複写機の扉が再び閉鎖されると、インターロック用スイッチ２４がオン状態に戻ると共に、主制御部１１は、リミットスイッチＬＳから扉開信号を受け取り（ステップＳＴ２５）、扉開放モードを解除し（ステップＳＴ２６）、電源出力制御信号ｐ1 をオン状態へ戻して解除指令を送る（ステップＳＴ２７）。
【００４６】主制御部１１は、電圧出力ｐ2 が所定の電圧出力まで回復したと判断すると（ステップＳＴ２８）、表示部７２に動作可能である旨の動作許可表示を行わせる（ステップＳＴ２９）。
【００４７】以上説明したように、この実施の形態１によれば、省エネモード時に電力供給が休止される負荷と扉開放モード時に電力供給が休止される負荷とは同一のインターロック系負荷群９であるので、インターロック機能を有する複写機において、このインターロック機能をこのまま流用して、新たな部品を必要とすることなく省エネモードの機能を追加することができる。
【００４８】また、主制御部１１から電源部２へ休止指令や解除指令を送ることによって、各種モータ等への電源供給の休止及び解除を行うので、回路の開閉を行うための専用のリレー等を必要としない。
【００４９】したがって、製造コストを低減することができる。
【００５０】また、省エネモード時または扉開放モード時には、主制御部１１から電源部２へ発振停止指令を送って、スイッチング電源２２の発振動作を停止させることによって、各種モータ等への電源供給を休止させ、また、解除指令を送って発振を開始させることで電源供給を再開させるので、回路開閉直後の電圧変化は比較的穏やかであり、例えば回路閉直後の過大な突入電流の発生を防止することができる。
【００５１】したがって、例えば電源部２が出力ダウンするような不具合を防止することができ、突入電流防止のための特別な回路も不要である。
【００５２】また、主制御部１１は、省エネモードが解除された後、電圧検知部１４においてスイッチング電源２２の出力が所定の値まで立ち上がったことが検知されてから、表示部７２に省エネモードが解除され動作可能状態となった旨の表示をさせるので、動作許可表示時の誤表示を防止することができる。
【００５３】以上、本発明の実施の形態を詳述してきたが、具体的な構成はこの実施の形態に限られるものではない。
【００５４】例えば、上述した実施の形態では、複写機に適用する場合について述べたが、例えばプリンタ等に適用しても良い。
【００５５】また、主制御部１１は、例えば、省エネモード時に扉が開放された際には、表示部７２に省エネモードである旨の表示だけを行わせ、省エネモード解除後に、表示部７２に扉開状態表示を含む異常状態表示を行わせるようにしても良い。
【００５６】
【発明の効果】以上説明したように、請求項１記載の発明によれば、節電モード時には、制御手段から電源装置へ発振停止指令信号を送って、スイッチング電源の発振動作を停止させることによって、各種モータ等への電源供給を休止させ、また、解除指令信号を送って発振を開始させることで電源供給を再開させるので、回路開閉直後の電圧変化は比較的穏やかであり、例えば回路閉直後の過大な突入電流の発生を防止することができる。
【００５７】したがって、例えば電源装置が出力ダウンするような不具合を防止することができ、突入電流防止のための特別な回路も不要である。
【００５８】また、制御手段から電源装置へ休止指令信号や解除指令信号を送ることによって、各種モータ等への電源供給の休止及び解除を行うので、回路の開閉を行うための専用のリレー等を必要としない。
【００５９】したがって、製造コストを低減することができる。
【００６０】また、請求項２記載の発明によれば、節電モード時に電力供給が休止される負荷と扉開放モード時に電力供給が休止される負荷とは同一であるので、例えば扉開放時に各種モータへの電力供給を休止する機能を有する画像形成装置において、インターロック機能をこのまま流用して、新たな部品を必要とすることなく節電モードの機能を追加することができる。
【００６１】また、制御手段から電源装置へ休止指令信号や解除指令信号を送ることによって、各種モータ等への電源供給の休止及び解除を行うので、回路の開閉を行うための専用のリレー等を必要としない。
【００６２】したがって、製造コストを低減することができる。
【００６３】また、請求項３記載の発明によれば、節電モード時または扉開放モード時には、制御手段から電源装置へ発振停止指令信号を送って、スイッチング電源の発振動作を停止させることによって、各種モータ等への電源供給を休止させ、また、解除指令信号を送って発振を開始させることで電源供給を再開させるので、回路開閉直後の電圧変化は比較的穏やかであり、例えば回路閉直後の過大な突入電流の発生を防止することができる。
【００６４】したがって、例えば電源装置が出力ダウンするような不具合を防止することができ、突入電流防止のための特別な回路も不要である。
【００６５】また、請求項４記載の発明によれば、制御手段は、節電モードが解除された後、検知部において電源装置の出力が所定の値まで立ち上がったことが検知されてから、表示部に節電モードが解除され動作可能状態となった旨の表示をさせるので、動作許可表示時の誤表示を防止することができる。
【００６６】また、請求項５記載の発明によれば、節電モード時にはその旨の表示だけなされるので、一段と電力の消費量を低減することができる。
【００６７】また、請求項６記載の発明によれば、扉が開放された際に、節電モードでは表示がなされなくても、節電モード解除後には、扉開状態表示を含む異常状態表示がなされるので、使用時には扉開状態を含む異常状態を見逃すことがない。
【図面の簡単な説明】
【図１】本発明の実施の形態１による画像形成装置としての複写機の構成を示す断面図である。
【図２】同複写機の構成を示すブロック図である。
【図３】制御手段としての制御装置及び電源装置としての電源部を含む同複写機の要部の構成を示すブロック図である。
【図４】同制御装置及び同電源部の動作を説明するための波形図である。
【図５】同複写機の省エネモードでの動作を説明するためのフローチャートである。
【図６】同複写機の扉開放時の扉開放モードでの動作を説明するためのフローチャートである。
【符号の説明】
１ 制御装置（制御手段）
１４ 電圧検知部（検知部）
２ 電源部（電源装置）
２２ スイッチング電源
２４ インターロック用スイッチ
７ コントロールパネル部（操作設定手段）
７１ スイッチ群
７２ 表示部
９ インターロック系負荷群（インターロック系負荷）
ＬＳ リミットスイッチ（扉開閉検知手段）
ｐ1 電源出力制御信号（発振停止指令信号、解除指令信号）